Podtech/llm-jp-corpus-v4-ja_patent huggingface dataset:
(57)【要約】      （修正有）【課題】墓石を個性的な墓石とする。【解決手段】本体１は円筒状で下方に向けて末広がりとし、下端部分には更に大径とした台座部２を設けると共に、内部は上下に貫通した空洞３とした本体１を大理石又は陶磁器により形成する。当該本体１に冠着する蓋４は略半円球状とし、同じく大理石又は陶磁器製としている。当該蓋４の外面には同じく石材又は陶磁器からなる適宜の多数の花５、５…を固着し、本体１に花５で飾った蓋４を冠着して花笠墓Ａを構成している。本体１の形状並びに花５の種類、大きさ、固着方法に限定を受けるものではない。【選択図】図３
0003141665.tif 000002
【実用新案登録請求の範囲】
【請求項１】
石材又は陶磁器からなり、円筒状で下方に向けて末広がりとし、内部に上下に貫通した空洞を形成した本体と、当該本体に冠着する略半円球状の蓋からなり、蓋の外面には同じく石材又は陶磁器からなる多数の適宜の花を固着して墓体を構成すると共に、当該墓体を、石材又はコンクリートからなり地中に埋設したカロートの上に載置してなる花笠墓。
【考案の詳細な説明】
【技術分野】
【０００１】  本考案は、新たなる墓に関するものである。
【背景技術】
【０００２】  従来より墓石は個性的なものも見掛けるが全般的に見れば従来から変わっていない。【０００３】  一方、最近は一般的な墓の建立が困難になっている。原因の一つとして、特に都会においては手近に霊園が確保し難いこと、また墓石も高価なことが上げられる。【０００４】  また、霊園においても、従来からある和墓を建立するのではなく、霊園そのものを芝生を敷き詰めた用地とし、そこに小型の洋墓を建立することも実施されているが、洋墓とはいえ、従来からあるもので、墓石そのものに改良の余地は充分にあったのである。
【考案の開示】
【考案が解決しようとする課題】
【０００５】  解決しようとする問題点は、墓石を単なる墓石でなく、個性的な墓石とすることである。
【課題を解決するための手段】
【０００６】  本考案は、墓を単なる石材の墓でなく華麗な墓として霊園の雰囲気を和ませるような墓とすること、これらが課題を解決するための手段である。
【考案の効果】
【０００７】  石材又は陶磁器からなり、円筒状で下方に向けて末広がりとし、内部に上下に貫通した空洞を形成した本体と、当該本体に冠着する略半円球状の蓋からなり、蓋の外面には同じく石材又は陶磁器からなる多数の適宜の花を固着して墓体を構成すると共に、当該墓体を、石材又はコンクリートからなり地中に埋設したカロートの上に載置してなる花笠墓であるから、霊園に建立しても花笠墓であるから優美であり且つ霊園そのものの雰囲気も和らぐものである。また太陽電池とＬＥＤ照明を利用したものにあっては夜間において薄っすらと花笠が浮き上がり極めて優美である等、極めて実用的な効果を有するものである。
【考案を実施するための最良の形態】
【０００８】  本考案は、石材又は陶磁器からなり、円筒状で下方に向けて末広がりとし、内部に上下に貫通した空洞を形成した本体と、当該本体に冠着する略半円球状の蓋からなり、蓋の外面には同じく石材又は陶磁器からなる多数の適宜の花を固着して墓体を構成すると共に、当該墓体を、石材又はコンクリートからなり地中に埋設したカロートの上に載置してなる花笠墓を呈せんとするものである。
【実施例１】
【０００９】  本体１は円筒状で下方に向けて末広がりとし、下端部分には更に大径とした台座部２を設けると共に、内部は上下に貫通した空洞３とした本体１を大理石又は陶磁器により形成する。当該本体１に冠着する蓋４は略半円球状とし、同じく大理石又は陶磁器製としている。当該蓋４の外面には同じく石材又は陶磁器からなる適宜の多数の花５、５…を固着し、本体１に花５で飾った蓋４を冠着して花笠墓Ａを構成している。本体１の形状並びに花５の種類、大きさ、固着方法に限定を受けるものではない。【００１０】  ６はカロートで、石材又はコンクリートにより構成されており、底部には活性炭７を敷き詰めている。当該カロート６の上に敷石８を置き、その上に花笠墓Ａを載置して墓標とするように構成している。
【実施例２】
【００１１】  図示はしていないが、本体１、蓋２、花３の部分の肉厚を若干薄くし、且つ透光性の大なる大理石又は陶磁器にて形成している。
【実施例３】
【００１２】  同じく図示はしていないが、蓋４の一部分スペースは花５を取付けずにおき、当該部分に太陽光発電のモジュールを取付け、蓋４の内部に高輝度・省電力のＬＥＤ照明等を配設すると共に、充放電コントローラー、メンテナンスフリー蓄電池等々を台座部２に収納し、太陽光により蓄電した電力で、透光性の大なる大理石又は陶磁器にて形成された本体１及び蓋４の花５が夜間に薄っすらと光るように構成している。
【産業上の利用可能性】
【００１３】  本考案は、石材又は陶磁器からなり、円筒状で下方に向けて末広がりとし、内部に上下に貫通した空洞３を形成した本体１と、当該本体１に冠着する略半円球状の蓋４からなり、蓋４の外面には同じく石材又は陶磁器からなる多数の適宜の花５を固着して墓体を構成すると共に、当該墓体を、石材又はコンクリートからなり地中に埋設したカロート６の上に載置してなる花笠墓であるから、霊園に建立される墓石も個性的なものも見掛けるが全般的に見れば従来から変わっていなかったし、芝生を敷き詰めたような綺麗な霊園にも従来からの洋墓しか建立されていなかったが、本考案では多数の花５、５…で飾られた花笠墓Ａであるから優美であり且つ霊園そのものの雰囲気も和らぐものである。また太陽電池とＬＥＤ照明を利用したものにあっては夜間において薄っすらと花笠が浮き上がり極めて優美である等、産業上での利用可能性は極めて大きいものがある。
【図面の簡単な説明】
【００１４】
【図１】  花笠墓Ａの斜視図
【図２】  蓋（花なし）を冠着した状態の一部断面した正面図
【図３】  花笠墓Ａをカロートに載置した一部断面した正面図
【符号の説明】
【００１５】１  本体
２  台座
３  空洞
４  蓋
５  花
６  カロート
７  活性炭
８  敷石
Ａ  花笠墓
【図１】
0003141665.tif 000003
【図２】
0003141665.tif 000004
【図３】
0003141665.tif 000005
(57)【要約】      （修正有）【課題】支点より両側で互い違いに利用して荷物を上に上げることが出来るテコを提供する。【解決手段】長いテコ用の木３を支柱１からロープ２で、テコ用の木３の中央がテコの支点となるように吊るし、その支点の両側の同じ距離にテコに利用できるように木６をロープで吊るし、木６ａに吊り下げた荷物を、左右の木６を、輪にして繋いだロープ５に掛け替えることで、テコ用の木３をシーソーのように動かして荷物を上に上げることが出来る。【選択図】図１
0003141662.tif 000002
【実用新案登録請求の範囲】
【請求項１】
支柱にロ〜プで吊るしたテコ用の木に、テコの支点より両側に同じ間隔に、テコにつかうとき荷物を吊るすロープに掛けられるよう木をロ〜プで吊るしたテコ用の木
【考案の詳細な説明】
【技術分野】
【０００１】  本考案は、長い木を使って、テコ支点の両側で使えるテコに関するものである。
【背景技術】
【０００２】  山の現場などに行って、急に重い荷物を上げることになり，それなりの道具が無くて困るときがある。
【考案の開示】
【考案が解決しようとする課題】
【０００３】  現場に丈夫なロープと丈夫で長い木材が、あればその２つを使ってロープで吊るしたテコを利用した起重機を作り、重いものを上げることが出来る。
【課題を解決するための手段】
【０００４】  本考案は、テコがなるだけ長く使えて重いものが上げられるように、互いの元木の部分を合わせて縛りテコ用の木とし、そのテコの中心をロープ支柱に吊るしそのテコの支点を基点に、両側に同じ距離にテコに利用する時、ロープをかける木をロープで吊るし、そのテコ用の木の両端に、テコを引き下げるためのロープを取り付けたものである。
【考案の効果】
【０００５】  上述の様に、木材とロープがあれば起重機ができる。
【考案を実施するための最良の形態】
【０００６】  テコの両側に吊るした木に、上げる荷物に結んだロープに、何重にも輪を作り、その輪にテコ両側に吊るした木に、テコをシーソーの様に動かし交互に、架け替えることによって荷物を上げることが出来る。
【実施例】
【０００７】  以下、添付図面に従って一実施例を説明する。１は支柱、２は支柱からテコを吊るすロープ、３は２本の木の元を合わせて取り付けて、吊るしたテコ用の木、４はテコを引っ張るロープ、５は輪にして繋いだロープ、６はテコを利用する時、輪５に掛けるテコに吊るした木、６ａは荷物を荷作りしたロープに掛ける木。【０００８】  本考案の一実施例は上述の如き構成からなるものであるから、木６ａに荷物に荷作りしたロープを掛けそのロープに繋いだ輪にしたロープ５の一番端の輪に、テコに吊るしたどちらかの木６掛け、ロープ４を引っ張って、荷物を最大限に上げ今度は、下がって来た木６をロープ５の輪に掛けまたロープ４を引っ張って最大限上げる，このことを繰り返すことによってテコが使える間は、荷物をあげることができる。このようにしいて古代エジプトでは、ピラミッド建造には、このようにして大きな石をあげていたかもしれない。
【図面の簡単な説明】
【０００９】
【図１】本考案の両側でテコを交互に利用できるテコの実施例を示す正面図である。
【符号の説明】
【００１０】１  支柱
２  テコ吊るしたロープ
３  テコ用の木
４  テコをひっぱるロープ
５  輪にしてつないだロープ
６  テコよりロープで吊るした
６ａ  輪にして繋いだロープ吊るした木
【図１】
0003141662.tif 000003
(57)【要約】      （修正有）【課題】ウェビングと調整金具からなる人を吊り下げるハーネスにおいて、リペリング用のフックポイントと懸架用のそれとを合わせ持つことにより、ひとつのハーネスで２つの用途に対応できるようにする。【解決手段】おのおのの機能を合体させ、上体のサイドウェビング４を追加し、リペリング用のフックポイント１からダイレクトにレッグストラップ２に力がかかるように取り回した。【選択図】図１
0003141663.tif 000002
【実用新案登録請求の範囲】
【請求項１】
ウェビングと調整金具からなる人を吊り下げるハーネスにおいて、リペリング用のフックポイントと懸架用のそれとを合わせ持つことにより、ひとつのハーネスで２つの用途に対応できる様にしたことを特徴とする吊り下げ用ハーネス。
【請求項２】
上体のサイドに調整用のウェビングを配し、吊られた状態で安定して両手を自由に使えることを特徴とする請求項１記載の吊り下げ用ハーネス。
【請求項３】
リペリング用のフックポイントからダイレクトにレッグストラップに力がかかるように取り回したことを特徴とする請求項１記載の吊り下げ用ハーネス。
【考案の詳細な説明】
【技術分野】
【０００１】  この考案は航空機（ヘリコプター）から人を吊り下げるためのハーネスに関するものである。
【背景技術】
【０００２】  リペリングにはリペリング専用のハーネス、両手を使うためには懸架専用のフルボディーハーネスが別々に利用されている。懸架専用の場合ウェビングのとりまわしや金具の使い方はパラシュートで使用されている方法が使われているが、上体を保持するハーネスとしてはパラシュートのハーネスの取り回しでは上半身を安定させ吊られた状態で銃器等を使用しようとした場合に不安定になる。
【考案の開示】
【考案が解決しようとする課題】
【０００３】  既存の懸架用フルボディーハーネスではリペリングをすることができず、既存のリペリングハーネスでは両手をフリーにすることはできない。おのおの違う吊り下げ方をするこの２つの機能を合体させることによって、付け替えることなく両方の機能を有し、尚且つおのおのの機能において装着感が良く、両手を放しても安定して身体を保持できるハーネスを開発することに成功し、本考案としてここに提案するものである。
【課題を解決するための手段】
【０００４】  請求項１に係る考案は、ウェビングと調整金具からなる人を吊り下げるハーネスにおいて、リペリング用のフックポイントと懸架用のそれとを合わせ持つことにより、ひとつのハーネスで２つの用途に対応できる様にしたことを特徴とする吊り下げ用ハーネスであり、この吊り下げ用ハーネスを提供して上記課題を解消するものである。【０００５】  請求項２に係る考案は、上体のサイドに調整用のウェビングを配し、その長さを調節することにより吊られた状態で安定して両手を自由に使えることを特徴とする請求項１記載の吊り下げ用ハーネスである。【０００６】  請求項３に係る考案は、リペリング用のフックポイントからダイレクトにレッグストラップに力がかかるように取り回したことを特徴とする請求項１記載の吊り下げ用ハーネスである。
【考案の効果】
【０００７】  既存の懸架用フルボディーハーネスの両サイドにウェビングを加え背面の調整機構をサイドに移し、その長さを調節することにより上体のホールド部分を増やし、且つ自然に立った姿勢を保持できることで身体に与える苦痛を減らし、安定して銃器を使用できるようになった。またリペリングに関しては、幅４．５ｃｍのウェビングを横に２本配した９ｃｍ幅のレッグストラップ（股帯）に対してフックポイントは幅２．５ｃｍのウェビングで金具を用いずに作り軽量化し、その端部をレッグストラップ（股帯）の最も外側（腰側）にジグザグで縫い付けることにより、従来のものより足の股にかかる苦痛を減らすことができた。
【考案を実施するための最良の形態】
【０００８】  図中１はリペリング用フックポイントであり、そこから出たウェビングはレッグストラップ２上の調整金具８の根元に縫い付けられ、その端部が図中２のレッグストラップ（股帯）外側（腰側）に縫い止まっている。そのためフックポイントからの力は臀部から腰に近い方へと逃がされ股にかかる負担は軽減される。また、着脱する際は金具が固定され間違いを犯さないため装着が楽にできる。【０００９】  図中３はフルボディーハーネスとして懸架される際のフックポイントであり、ここからの力は主に、調整金具８で長さ調整されたサイドウェビング４にかかり、側面から見ると自然に立った姿勢を保持できる。従来のものにはこのサイドウェビング４にあたるものがなく、これを配することにより簡単に安定してフリーハンドになることができ、銃器等の使用も楽になる。また体の前面にあるメインリフトウェビング５及び背面を支えるクロスウェビング６から圧迫される力は軽減される。
【図面の簡単な説明】
【００１０】
【図１】この考案に係る吊り下げ用ハーネスの一例を正面から見た状態の説明図である。
【図２】この考案に係る吊り下げ用ハーネスの一例を背面から見た状態の説明図である。
【符号の説明】
【００１１】１  リペリング用フックポイント
２  レッグストラップ（股帯）
３  フルボディーハーネスとして懸架される際のフックポイント
４  サイドウェビング
５  メインリフトウェビング
６  クロスウェビング
７  チェストストラップ
８  調整金具
【図１】
0003141663.tif 000003
【図２】
0003141663.tif 000004
(57)【要約】      （修正有）【課題】抱いた状態で眠った乳幼児を寝床に寝かし付けるとき、乳幼児の頭部及び頸部から腕を抜く際の衝撃で乳幼児が起きてしまう問題点があった。また、首の据わらない乳幼児を寝床から抱き上げる際、乳幼児の首の後ろに手を入れる動作がスムーズに行えないという問題点もあった。【解決手段】乳幼児を抱いて眠らせるとき、予め本枕を腕に装着し、眠った後乳幼児の頭部及び頸部から腕を抜く際、本枕の内側に貼り付けてある滑る素材の繊維の効果で腕が抜き易く、乳幼児が感じる腕を抜くときの衝撃が軽減され、乳幼児を再び起こす事無く寝かし付けられる。また、乳幼児を寝床等から抱き上げる際にも、本枕に腕を挿入すると、首の後ろに手を入れる動作が上記の効果でスムーズに行える。【選択図】図１
0003141667.tif 000002
【実用新案登録請求の範囲】
【請求項１】
筒状の綿製布地の内側に滑る素材の繊維を貼り付けた乳幼児用枕。
【考案の詳細な説明】
【技術分野】
【０００１】  本考案は、乳幼児を寝床等に寝かせたり、それらから抱き上げたりする動作をスムーズにするため筒状の綿製布地の内側に滑る素材の繊維を貼り付けた乳幼児用枕に関する。
【背景技術】
【０００２】  従来、子供を寝かし付けた後、起こさずに腕を抜くことができるものとして、布に緩衝材を詰めた、半円筒状の腕枕用パット（特許文献１）や、低反発ウレタンフォームからなる溝のある敷布団に筒状の枕をその溝に差し込んで、その後腕を抜いて睡眠中の乳幼児の睡眠を維持させながら寝かせる乳幼児用寝具（特許文献２）があった。
【特許文献１】登録実用新案第３０７３７０２号
【特許文献２】特開２００７−２２９４１２号広報
【考案の開示】
【考案が解決しようとする課題】
【０００３】  抱いた状態で眠った乳幼児を寝床に寝かし付けるとき、乳幼児の頭部及び頸部から腕を抜く際の衝撃で乳幼児が起きてしまう問題点があった。【０００４】  また、首の据わらない乳幼児を寝床等から抱き上げる際、乳幼児の首の後ろに手を入れる動作がスムーズに行えないという問題点もあった。【０００５】  従来の技術から、半円筒状の腕枕用パット（特許文献１）では、乳幼児を腕に抱いている際、その形状から枕が腕に定着せず、枕ごと乳幼児の頭部がずれ落ちる危険性があり、また、乳幼児の枕としては枕が高すぎて、寝返りをする際枕から落ちてしまう危険性があった。【０００６】  乳幼児用寝具（特許文献２）では、寝具自体の厚みが大人の腕が差し込める程の高さがあり、乳幼児が寝返りをすると、その高さから落ちてしまう危険性がある。
また、床に敷くタイプの寝具では使用できるが、柵のあるベビーベッドタイプでは使用できない設計になっていた。
【課題を解決するための手段】
【０００７】  そして、本考案は上記の課題を解決するために予め本枕を図３の様に腕に装着しておき、乳幼児の頭部及び頸部を腕に乗せた状態（図４）で眠らせる。乳幼児を寝床に下ろし図５の様に本枕から腕を抜く。このとき本枕の内側に貼り付けてある、滑る素材の繊維（図１−２）の効果で腕が抜き易く、また、乳幼児が感じる腕を抜くときの衝撃が軽減され、乳幼児を再び起こす事無く寝かし付けられるものである。【０００８】  腕を抜いた後も乳幼児に適した枕としてそのまま利用できる（図２）。【０００９】  乳幼児を寝床等から抱き上げる際にも、本枕に腕を挿入すると、首の後ろに手を入れる動作（図５）が本枕の内側に貼り付けてある、滑る素材の繊維（図１−２）の効果でスムーズに行える。【００１０】  また、乳幼児を腕に抱き寝かせているとき、本枕は筒状の綿製の柔らかい布地からなるもので、腕に定着し乳幼児が腕からずれ落ちることがない。【００１１】  本枕は、腕を挿入し装着するだけの簡単な構造の為、あらゆる寝具においても使用できる。
【考案の効果】
【００１２】  上述したように本考案の乳幼児用枕は、乳幼児を腕に抱いている状態においても頭部が腕からずれ落ちることはない。【００１３】  また、乳幼児が寝返りをしても事故に繋がらない枕の高さに設計されている。【００１４】  そして、本枕は布団やベッド等あらゆる寝具においても使用でき、また、使用する素材は繰り返し洗濯が可能で清潔である。よって、育児中の方が安心且つ安全に使用できるものである。
【考案を実施するための最良の形態】
【００１５】  以下、本考案の実施の形態を図１〜図２に基づいて説明する。【００１６】  図１−１は肌に触れる表面なので乳幼児に適した綿製の布地を使用する。図１−２は腕を挿入する裏面なので、腕を抜き差しする動作をスムーズに行える滑る素材の繊維（例えば、ポリエステル等）を使用する。【００１７】  上記２種の素材を重ねて貼り付けたもの（例えば、糸で縫い付ける）を、図１の様に綿製の布地を外側に、滑る素材の繊維を内側にして筒状に縫製する。【００１８】  図２は図１を自然な状態で床に置いたものである。図２に見るように本枕は柔らかい素材を使用するので、枕の高さも低く、乳幼児に適している枕になる。
【図面の簡単な説明】
【００１９】
【図１】  本考案の実施形態を示す乳幼児用枕の立体図及び断面図
【図２】  同乳幼児用枕を自然な状態で床に置いた立体図
【図３】  同乳幼児用枕を腕に装着した様子の説明図
【図４】  同乳幼児用枕を装着し、乳幼児を抱いている様子の説明図
【図５】  同乳幼児用枕から腕を抜き差しする様子の説明図
【符号の説明】
【００２０】  １  綿製の布地
２  滑る素材の繊維
【図１】
0003141667.tif 000003
【図２】
0003141667.tif 000004
【図３】
0003141667.tif 000005
【図４】
0003141667.tif 000006
【図５】
0003141667.tif 000007
(57)【要約】      （修正有）【課題】直線的形状の魚釣り竿で、両軸リ−ルを使用する場合、両軸リ−ルの重心位置が釣り竿より高くなり、下方へ横転するため、釣り竿を握りしめておかねばならない不便さを解消し、道糸ガイドを倒立した向きで使用するため、道糸に負荷が生じ、釣り竿先端部が湾曲した場合、道糸と竿側面が交差接触し、道糸の抵抗増大や擦過損傷する不都合を解消した魚釣り竿を提供する。【解決手段】釣り竿手元部のロッド１を、バスタブ形様にくぼみ形とすることで、両軸リルの重心位置３を、釣り竿より低くし、下方への横転を防止する。竿先側の立ち曲げ部に、道糸を通す構造４とすることで、道糸ガイドを下向きで使用でき、釣り竿先端部が湾曲した場合でも、道糸と竿側面の交差接触が起きない。【選択図】図１
0003141646.tif 000002
【実用新案登録請求の範囲】
【請求項１】
道糸ガイドを固着した釣り竿と、前記釣り竿の握り手部近くに、リ−ルホルダ−を取り付けた魚釣り竿において、前記リ−ルホルダ−から、初端の道糸ガイド付近までのロッド形状をバスタブ形様に、くぼみ形とする。そして、前記くぼみ形の握り手部近くにリ−ルホルダ−を取り付け、前記くぼみ形の竿先側立ち曲げ部に、道糸を通すガイド穴を有する形状を特徴とする、魚釣り竿。
【考案の詳細な説明】
【技術分野】
【０００１】  本考案は魚釣り竿の形状に関する。
【背景技術】
【０００２】  従来の魚釣り竿は直線的形状である。
【考案の開示】
【考案が解決しようとする課題】
【０００３】  しかし、直線的形状では、両軸リ−ルを竿に取り付け場合、両軸リ−ルの重心が竿より上方に位置する（図２）。よって、竿全体が下方へ横転しようとする。これを防止するために、竿を握り締めておかねばならない不便さがある。【０００４】  更に、両軸リ−ルから竿先端部までの、道糸ガイドを倒立した向きで使用しなければならない（図２）。道糸に負荷（釣魚等）が生じた場合、竿先端部に近いほど、大きく湾曲する。このとき、道糸と竿側面が交差接触する（図３）。これは、道糸の摩擦抵抗増大や擦過損傷が生じるという不都合がある。
【課題を解決するための手段】
【０００５】この課題を解決するための請求項１の考案は、竿手元部のロッドをバスタブ形様に、くぼみ形とする、ことを特徴とする。そして、前記くぼみ形の握り手側直近にリ−ルホルダ−を取り付ける。これにより、両軸リ−ルの重心が竿より下方に位置することになる。よって、竿の下方への横転を防止できる、又は、竿の握り締めを著しく軽減できる。【０００６】  さらに、前記くぼみ形の竿先側、バスタブ形立ち曲げ部に、道糸ガイド穴を開ける、ことを、特徴とする魚釣り竿である（図１）。これにより、竿先端部までの道糸ガイドを下向きに取り付けて使用できる。よって、道糸と竿側面の交差接触がなくなる。
【考案の効果】
【０００７】  本考案により、竿の下方への横転を防止でき、竿の握り締めに要する腕の負担を著しく軽減できる。更に、道糸と竿側面の交差接触がなくなり、道糸の摩擦抵抗増大や擦過損傷の不都合が解消される。
【考案を実施するための最良の形態】
【０００８】  本考案の竿手元部のロッドをバスタブ形様に、くぼみ形とする（図１）。これは、両軸リ−ルの重心が、釣竿の水平的重心より、下方に位置するようにするためである。よって前記くぼみ形の深さは、両軸リ−ルの形状、重量、重心位置などにより異なる。通常は、リ−ルホルダ−に、両軸リ−ルを取り付けたとき、両軸リ−ルの上面が、釣竿の上面より少し上方に位置する、ようにする。一方、両軸リ−ルの水平的取り付け位置は、両軸リ−ルの形状により異なる。通常は、両軸リ−ルの操作性が最も容易となるよう、手元直近部を基準にする。【０００９】  もう一つの特徴は、前記バスタブ形様、くぼみ形の竿先側立ち曲げ部に、初端道糸ガイド穴を設定したとである。このガイド穴の位置決めの要点は、道糸とガイド穴との接触面で、道糸の折れ曲がりによる接触抵抗が過大とならないように、両軸リ−ルとのあいだに一定の間隔を要することである。即ち、両軸リ−ル出口部と、初端道糸ガイド穴との間で道糸に水平的な横振れ巾、垂直的な段位差がある。これにより、道糸の折れ曲がりが生じる。よって、両軸リ−ルと初端道糸ガイド穴との間隔は、出来るだけ長くし、道糸の折れ曲がり角度を小さくする。一般的には、この間隔が８０ｃｍ程度以下であるが、両軸リ−ルが小さいほど、間隔を短くできる。両軸リ−ルの大きさに合わせて設定する。一方、前記バスタブ形様、くぼみ形の竿先側立ち曲げ部の高さは、低い程竿全体の操作性が容易となる。よって、出来るだけ低くし、その中間高さ付近に初端道糸ガイド穴を設ける。通常は６ｃｍ程度以下とする。尚、前記バスタブ形様、くぼみ形のリ−ルホルダ−部のくぼみ深さと、竿先側立ち曲げ部の高さが、同一である必要はなく、むしろ、竿先側立ち曲げ部の方を、低くして竿全体の操作性をよくする。この場合、前記バスタブ形様、くぼみ形の底辺は、竿先側立ち曲げ部に向かって、斜め上がり直線的な形状となる。竿先側立ち曲げ部に初端道糸ガイド穴を設けたことにより、ガイド穴周辺の強度が不足する場合は、補強を行う。
【図面の簡単な説明】
【００１０】
【図１】  本考案の魚釣り竿全体の斜視図である。
【図２】  従来の形状の魚釣り竿全体の斜視図である。
【図３】  従来の形状の魚釣り竿において、道糸に負荷を生じた場合の、全体の斜視図である
【符号の説明】
【００１１】  １  竿手元部、ロッドのバスタブ形様。
２  先竿部
３  両軸リ−ル
４  竿先側立ち曲げ部、初端道糸ガイド穴
５  道糸
６  道糸と竿側面の交差接触部
【図１】
0003141646.tif 000003
【図２】
0003141646.tif 000004
【図３】
0003141646.tif 000005
【手続補正書】
【提出日】平成20年2月18日(2008.2.18)
【手続補正１】
【補正対象書類名】実用新案登録請求の範囲
【補正対象項目名】請求項１
【補正方法】変更
【補正の内容】
【請求項１】
道糸ガイドを固着した釣り竿と、前記釣り竿の握り手部近くに、リ−ルホルダ−を取り付けた魚釣り竿において、前記リ−ルホルダ−から、初端の道糸ガイド付近までのロッド形状をバスタブ形様に、くぼみ形とし、前記くぼみ形の握り手部近くにリ−ルホルダ−を取り付け、前記くぼみ形の竿先側立ち曲げ部に、道糸を通すガイド穴を有する形状を特徴とする、魚釣り竿。
(57)【要約】      （修正有）【課題】パンティストッキング及びタイツの保温性に欠ける場合の解消。また、パンティストッキング及びタイツの上からさらに下着を着用する場合の不便さの解消等。【解決手段】腿からウエスト部を覆状生地Ａにより覆うことにより、空気層Ｃができ、また、ウエスト部を一体化さる事（Ｂ）による。【選択図】図１
0003141647.tif 000002
【実用新案登録請求の範囲】
【請求項１】
パンティストッキング及びタイツの腿からウエスト部にかけてパンティストッキング及びタイツと同様の生地等で覆い、それぞれのウエスト部分で一体化させる事により、それを履いた時に保温性を高めることができ、かつパンティストッキング及びタイツの上からタップパンツやペチコート等を履いたのと同様の状態にする事のできるパンティストッキング及びタイツ。
【考案の詳細な説明】
【技術分野】
【００１】  本考案は、パンティストッキング及びタイツの腿からウエスト部にかけて生地で覆いウエスト部で一体化させた二重構造のパンティストッキング及びタイツに関するものである。
【背景技術】
【００２】  従来のパンティストッキング及びタイツを着用するにあたり、保温性に欠ける、中の下着が透けないようにする、といった場合、パンティストッキング及びタイツの上からさらに腿からウエスト部にかけて覆う下着（タップパンツ等）を着用するという行為があった。また、単体で履いたときの姿態に幼稚性が連想され敬遠されがちであった。
【考案が解決しようとする課題】
【００３】  しかし、これでは、パンティストキング及びタイツの腿からウエスト部を覆う下着（タップパンツ等）を履き脱ぎする行為や、洗濯、管理、衣服内でのずれなど不便であった。
また、従来のパンティストッキング及びタイツのみの着用では、保温性に欠ける場合があった。
【課題を解決するための手段】
【００４】  そこで、図１に示すように、パンティストッキング及びタイツと同様の生地等で腿からウエスト部を覆う下着Ａ（以下覆状生地）を形成し、それでパンティストッキング及びタイツ本体Ｌの腿からウエスト部にかけて覆い、それぞれのウエスト部分で一体化（Ｂ部）させた二重構造のパンティストッキング及びタイツを考案した。
【考案の効果】
【００５】  よって、本考案により、パンティストッキング及びタイツと腿からウエスト部にかけて覆う下着とを容易に履き脱ぎすることができ、また、図２に示すように、パンティストッキング及びタイツ本体Ｌの腿からウエスト部にかけての部分と覆状生地との間に空気層Ｃができ、保温性が従来のパンティストッキング及びタイツと比べ向上する。さらに、洗濯、管理、腿からウエスト部を覆う下着の衣服内でのずれが解消される。
【考案を実施するための最良の形態】
【００６】  本考案に係る覆状生地付パンティストッキング及びタイツは、パンティストッキング及びタイツＬの腿からウエスト部にかけての部分と覆状生地Ａとの間に適度な空気層Ｃができる様、覆状生地の腿から臀部にかけては少し大きめに形成される事が望ましいが覆状生地の形状によりその限りではない。
覆状生地はトランクス型（図１）、スカート型（図３）、ハーフパンツ型（図４）、ガードル型等、自由に形成される。
【図面の簡単な説明】
【００７】
【図１】  本考案に係る覆状生地付パンティストッキング及びタイツのトランクス型の平面図である。
【図２】  本考案に係る覆状生地付パンティストッキング及びタイツのトランクス型のＰ−Ｑ断面図である。
【図３】  本考案に係る覆状生地付パンティストッキング及びタイツのスカート型の平面図である。
【図４】  本考案に係る覆状生地付パンティストッキング及びタイツのハーフパンツ型の平面図である。
【符号の説明】
【００８】    Ａ          覆状生地
Ｂ          ウエスト一体化部
Ｃ          空気層
Ｌ          パンティストッキング及びタイツ本体
【図１】
0003141647.tif 000003
【図２】
0003141647.tif 000004
【図３】
0003141647.tif 000005
【図４】
0003141647.tif 000006
【手続補正書】
【提出日】平成20年3月6日(2008.3.6)
【手続補正１】
【補正対象書類名】実用新案登録請求の範囲
【補正対象項目名】全文
【補正方法】変更
【補正の内容】
【実用新案登録請求の範囲】
【請求項１】
二重構造のパンティストッキングであって、パンティストッキング本体Ｌの腿からウエスト部にかけて覆う下着Ａ（以下、本請求項において「覆状生地」という。）を具備し、前記パンティストッキング本体と前記覆状生地のそれぞれのウエスト部分で一体化させ、前記パンティストッキング本体と前記覆状生地との間に空気層Ｃを形成してなることを特徴とする覆状生地付パンティストッキング。
【請求項２】
二重構造のタイツであって、タイツ本体Lの腿からウエスト部にかけて覆う下着Ａ（以下、本請求項において「覆状生地」という。）を具備し、前記タイツ本体と前記覆状生地のそれぞれのウエスト部分で一体化させ、前記タイツ本体と前記覆状生地との間に空気層Ｃを形成してなることを特徴とする覆状生地付タイツ。
【手続補正書】
【提出日】平成20年3月28日(2008.3.28)
【手続補正１】
【補正対象書類名】実用新案登録請求の範囲
【補正対象項目名】全文
【補正方法】変更
【補正の内容】
【実用新案登録請求の範囲】
【請求項１】
パンティストッキングであって、パンティストッキング本体Ｌの腿からウエスト部にかけて覆う下着Ａ（以下、本請求項において「覆状生地」という。）を具備し、前記パンティストッキング本体と前記覆状生地のそれぞれのウエスト部分で一体化させ、前記パンティストッキング本体と前記覆状生地との間に空気層Ｃを形成してなることを特徴とする覆状生地付パンティストッキング。
【請求項２】
タイツであって、タイツ本体Ｌの腿からウエスト部にかけて覆う下着Ａ（以下、本請求項において「覆状生地」という。）を具備し、前記タイツ本体と前記覆状生地のそれぞれのウエスト部分で一体化させ、前記タイツ本体と前記覆状生地との間に空気層Ｃを形成してなることを特徴とする覆状生地付タイツ。
(57)【要約】【課題】    金型数の多いプレス作業工程において、人間が移動しながらの作業、又ロボットを走行させての非効率な作業を解消する。【解決手段】  油圧シリンダ２本を並列に取付け、ロッド先端Ｙナックル２ｂ、３ｂにこじり防止用長穴５をあけた押えプレートを取付け、２本の油圧シリンダを同時に上下させる事により、こじりなく多くのガイドポスト付プレス金型を並べて加工できる。【選択図】図１
0003141643.tif 000002
【実用新案登録請求の範囲】
【請求項１】
油圧シリンダ２本を使用し、Ｃ型プレスや４柱型プレスの様にシリンダを取付けるフレームを持たない、こじり防止用長穴を持つ油圧プレスユニット。
【考案の詳細な説明】
【技術分野】
【０００１】  本考案は、省スペース油圧プレスユニットに関する。
【技術背景】
【０００２】  現状、自動車部品、ドアサッシュ、モール等のプレス加工においては、比較的小型のガイドポスト付プレス金型を機械式プレス機に組込み、プレス作業を行っている。
【考案の開示】
【考案が解決しようとする課題】
【０００３】  金型数の多いプレス作業工程において、手作業又ロボット作業では、機械式プレス機を何台もならべる為、人間が移動しながらの作業又ロボットを走行させる等、きつい作業又効率低下の原因となっている。
【考案が解決するための手段】
【０００４】  この課題を解決するため本考案は、油圧シリンダを２本並列に使用し、ロッド先端のＹナックルにこじり防止用の長穴をあけた押えプレートを取付け、省スペースのユニットとする。
【考案の効果】
【０００５】  よって、本考案のこじり防止機能付省スペース油圧プレスユニットを使用し、さらにこのユニットを２段重ね３段重ねとすれば、人間は横移動又ロボットを走行させる事なく、多くの金型を並べて加工できる。
【考案を実施するための最良の形態】
【０００６】  本考案に係るこじり防止機能付省スペース油圧プレスユニットは、図１に示すように、Ｙナックル付油圧シリンダの固定部２ａをベースプレート１に取付け、もう一方のＹナックル付油圧シリンダの固定部３ａをベースプレート１に取付ける。押えプレート４の片方を油圧シリンダロッド先端Ｙナックル２ｂに、こじり防止機能用長穴部５側を油圧シリンダロッド先端Ｙナックル３ｂに取付け、油圧シリンダ２本が同時に動く様油圧配管をして使用する。尚、油圧シリンダの上下移動量のバランスがくずれたことによるこじりは長穴部分によって無理を吸収する。
【図面の簡単な説明】
【０００７】
【図１】  本考案に係るこじり防止機能付省スペース油圧プレスユニットの正面図である。
【０００８】
【図２】  本考案に係るこじり防止機能付省スペース油圧プレスユニットの側面図である。
【符号の説明】
【０００９】１    ベースプレート
２    Ｙナックル付油圧シリンダ
２ａ  油圧シリンダ固定部
２ｂ  油圧シリンダロッド先端Ｙナックル
２ｃ  油圧シリンダロッド先端ピン
３    Ｙナックル付油圧シリンダ
３ａ  油圧シリンダ固定部
３ｂ  油圧シリンダロッド先端Ｙナックル
３ｃ  油圧シリンダロッド先端ピン
４    押えプレート
５    こじり防止用長穴
６    ストッパー取付ブロック
７    ストローク調整用ストッパー
１１  ガイドポスト付プレス金型１
１２  ガイドポスト付プレス金型２
１３  ガイドポスト付プレス金型３
【図１】
0003141643.tif 000003
【図２】
0003141643.tif 000004
【手続補正書】
【提出日】平成20年1月31日(2008.1.31)
【手続補正１】
【補正対象書類名】実用新案登録請求の範囲
【補正対象項目名】全文
【補正方法】変更
【補正の内容】
【実用新案登録請求の範囲】
【請求項１】
Ｙナックル付油圧シリンダを２本並列にベースプレートに固定し、押えプレートにあけた片方の丸穴ともう片方の長穴に、それぞれの油圧シリンダロッド先端Ｙナックルをピンで取付けた、油圧シリンダロッドのこじり吸収の出来る省スペースの油圧プレスユニット。
【手続補正２】
【補正対象書類名】明細書
【補正対象項目名】０００６
【補正方法】変更
【補正の内容】
【０００６】本考案に係るこじり防止機能付省スペース油圧プレスユニットは、図１に示すように、Ｙナックル付油圧シリンダの固定部２ａをベースプレート１に取付け、もう一方のＹナックル付油圧シリンダの固定部３ａをベースプレート１に取付ける。押えプレート４の片方にあけた丸穴に油圧シリンダロッド先端Ｙナックル２ｂをピン２ｃで取付け、もう片方にあけたこじり防止用長穴５に油圧シリンダロッド先端Ｙナックル３ｂをピン３ｃで取付け、油圧シリンダ２本が同時に動く様油圧配管をして使用する。尚、油圧シリンダの上下移動量のバランスがくずれたことによる油圧シリンダロッドのこじりは押えプレート４にあけた長穴５の部分によって無理を吸収する。
(57)【要約】      （修正有）【課題】総重量が軽く、色が褪せず、質感のよい靴の装飾構造を提供する。【解決手段】靴底１０、靴本体２０、及び、装飾部３０からなる。靴底を重量の軽いＥＶＡで構成し、頂面外周は上向けに突出成型した突縁１２を有し、靴本体底板２２は靴底頂面１１に対合し、且つ、靴本体底縁外周は対合して突縁中に容置されると共に、装飾部を配置する間隔を有する。装飾部はＰＶＣ、ＴＰＲ、或いは、ＴＰＵを原材料として成型した有色の細長い部分で、有色物は突縁頂端から突出し、色が褪せず、質感がよい要求下で、靴本体の外周を装飾する。【選択図】図３
0003141684.tif 000002
【実用新案登録請求の範囲】
【請求項１】
靴の装飾構造であって、靴底、靴本体、及び、装飾部からなり、
前記靴底は、重量の軽いEVA型内発泡で構成し、頂面外周は上向けに突出成型した突縁を有し、
前記靴本体は、頂端から下向けに脚部形状に適合する挿入部を有し、前記靴本体は、前記挿入部底端に、封閉する底板を有し、前記底板は靴底頂面に対合し、前記靴本体底縁外周は前記突縁中に容置されると共に、装飾部を配置する間隔を有し、
前記装飾部はTPRを原材料として成型した有色物で、前記有色物は前記突縁頂端から突出し、靴本体の外周を装飾することを特徴とする靴の装飾構造。
【請求項２】
靴の装飾構造であって、靴底、靴本体、及び、装飾部からなり、
前記靴底は、重量の軽いEVA型内発泡で構成し、頂面外周は上向けに突出成型した突縁を有し、
前記靴本体は、頂端から下向けに脚部形状に適合する挿入部を有し、前記靴本体は、前記挿入部底端に、封閉する底板を有し、前記底板は靴底頂面に対合し、前記靴本体底縁外周は前記突縁中に容置されると共に、装飾部を配置する間隔を有し、
前記装飾部はPVCを原材料として成型した有色物で、前記有色物は前記突縁頂端から突出し、靴本体の外周を装飾することを特徴とする靴の装飾構造。
【請求項３】
靴の装飾構造であって、靴底、靴本体、及び、装飾部からなり、
前記靴底は、重量の軽いEVA型内発泡で構成し、頂面外周は上向けに突出成型した突縁を有し、
前記靴本体は、頂端から下向けに脚部形状に適合する挿入部を有し、前記靴本体は、前記挿入部底端に、封閉する底板を有し、前記底板は靴底頂面に対合し、前記靴本体底縁外周は前記突縁中に容置されると共に、装飾部を配置する間隔を有し、
前記装飾部はTPUを原材料として成型した有色物で、前記有色物は前記突縁頂端から突出し、靴本体の外周を装飾することを特徴とする靴の装飾構造。
【請求項４】
前記装飾部底縁は湾曲して前記靴底頂面、及び、前記靴本体底板の間に挟合されることを特徴とする請求項１、２、或いは、３に記載の靴の装飾構造。
【請求項５】
前記装飾部は前記突縁頂端に抵接する突部を有することを特徴とする請求項４に記載の靴の装飾構造。
【請求項６】
前記装飾部は前記靴底に直接成型された後、前記靴本体を前記靴底に緊密に固定することを特徴とする請求項４に記載の靴の装飾構造。
【請求項７】
前記装飾部は前記本体に直接成型された後、前記靴底に固定されることを特徴とする請求項４に記載の靴の装飾構造。
【考案の詳細な説明】
【技術分野】
【０００１】
本考案は靴の装飾構造に関するものであって、特に、総重量が軽く、色が褪せず、質感がよい装飾技術に関するものである。
【背景技術】
【０００２】
一般の硫化靴（靴面が帆布か本革かPU）の側面の色のある細長い部分は、美しく、３０年後も色褪せないので、消費者に好まれている。しかし、コストが高く、重量が重いという欠点があり、現在は、総重量が何グラム以下の軽量ということが重視されているので、この種の靴は現在の趨勢に符合しない。
【０００３】
EVA型内発泡技術により製造した靴底に、靴本体を結合したものもあるが、色のある細長い部分は、噴射方式でしか完成できず、色が落ちやすいばかりか、硫化靴の美観と耐久性を失う。
【考案の開示】
【考案が解決しようとする課題】
【０００４】
本考案の目的は、総重量が軽く、色が褪せず、質感がよい靴の装飾構造を提供することにある。
【課題を解決するための手段】
【０００５】
上述の目的を達成するため、本考案は、靴底を重量の軽いEVAで構成し、頂面外周は上向けに突出成型した突縁を有し、靴本体底板は靴底頂面に対合し、且つ、靴本体底縁外周は対合して突縁中に容置されると共に、装飾部を配置する間隔を有する。装飾部はPVC、TPR、或いは、TPUを原材料として成型した有色の細長い部分で、有色物は突縁頂端から突出し、色が褪せず、質感がよいことが必要とされる要求下で、靴本体の外周を装飾する。
【考案の効果】
【０００６】
本考案により、総重量が軽く、色が褪せず、質感がよい靴の装飾構造が提供できる。
【考案を実施するための最良の形態】
【０００７】
図１〜図３で示されるように、本考案の構造は、靴底１０、靴本体２０、及び、装飾部３０、からなる。
【０００８】
靴底１０は重量が軽いEVA（エチレン酢酸ビニルコポリマー、ethylene vinyl acetate copolymer）材質からなり、板片に注入成型して、頂面１１外周は上向けに突縁１２を突出している。
【０００９】
靴本体２０は頂端から下に、脚部形状に適合する挿入部２１を有し、靴本体２０は挿入空間２１底端で封閉する底板２２を有する。底板２２は靴底１０頂面１１上に対合し、靴本体２０底縁外周は突縁１２中に容置すると共に、装飾部３０を配置する間隔を有する。
【００１０】
装飾部３０は、PVC（塩化ビニル、polyvinyl
chloride）、TPR(熱可塑性ゴム、Thermoplastic Rubber)、或いは、TPU（可塑性PU）を原材料として成型する有色物で、装飾物３０は突縁１２頂端から突出し、且つ、装飾部３０は突縁１２頂端に抵接する突部３１を有して、靴本体２０外周を装飾し、色が褪せずに、靴面に異なる色彩の視覚面を提供することができる。
【００１１】
装飾部３０を、靴底１０、及び、靴本体２０に固定する構造性を増加するために、図３で示されるように、装飾部３０底縁を湾曲させて、靴底１０頂面１１、及び、靴本体２０底板２２の間に挟合する。具体的には、本考案の装飾部３０は靴底１０、或いは、靴本体２０が必要な位置に射出成型し、靴本体２０を粘着か縫合の方式で、靴底１０に緊密に固定し、靴の装飾構造を構成することができる。
【００１２】
上述から分かるように、本考案は、靴底１０がEVA型内発泡技術により完成するので、総重量が軽いという長所が得られ、更に、装飾部３０は、PVC、TPR、或いは、TPUを原料として構成される有色物で、靴底１０と靴本体２０の間に挟固されるので、装飾部３０は色が褪せず、質感がよい。
【図面の簡単な説明】
【００１３】
【図１】本考案の靴底、靴本体、及び、装飾部の分解図である。
【図２】本考案の組み合わせ外観図である。
【図３】本考案の組み合わせ断面図である。
【符号の説明】
【００１４】
１０  靴底
１１  頂面
１２  突縁
２０  靴本体
２１  挿入空間
２２  底板
３０  装飾部
３１  突部
【図１】
0003141684.tif 000003
【図２】
0003141684.tif 000004
【図３】
0003141684.tif 000005
(57)【要約】【課題】ねじ込みをスムーズに行なうことができるセルフタッピングねじを提供する。【解決手段】軸部２１を備え、軸部２１一端には頭部２２が形成され、軸部２１他端にはドリル部２３が形成される。ドリル部２３は二つの対称の切削刃２３１および切削面２３２を有する。切削刃２３１上には若干の突出した切歯２３３が形成され、切歯２３３は切削面２３２表面まで延伸する。【選択図】図３
0003141603.tif 000002
【実用新案登録請求の範囲】
【請求項１】
軸部を備え、前記軸部一端には頭部が形成され、前記軸部他端にはドリル部が形成され、前記ドリル部は二つの対称の切削刃および切削面を有し、
前記切削刃上には若干の突出した切歯が形成され、前記切歯は突出し、前記切削面表面まで延伸することを特徴とするセルフタッピングねじ。
【請求項２】
前記切歯は、突出した円弧状であることを特徴とする請求項１記載のセルフタッピングねじ。
【請求項３】
前記切歯は、徐々に高さが低くなる形状で前記切削面表面まで延伸することを特徴とする請求項１記載のセルフタッピングねじ。
【請求項４】
前記切歯は、前記二つの対称の切削刃および切削面上に千鳥状に設けられることを特徴とする請求項１記載のセルフタッピングねじ。
【考案の詳細な説明】
【技術分野】
【０００１】
本考案はセルフタッピングねじに関し、特に、ドリル部切削刃の応力を高めて切削刃が摩損して切削力が低下するのを防止でき、切削面と物体との接触面積を低減でき、ねじ込みを更にスムーズに行なうことができるセルフタッピングねじに関する。
【背景技術】
【０００２】
図１、２に示す従来技術によるセルフタッピングねじ１０は、主に軸部１１一端に頭部１２が設けられ、他端にドリル部１３が設けられて構成される。使用時、ドリル部１３の切削刃１３１によって物体上に円孔が切り出され、その後、軸部１１が物体上にねじ込まれ、簡単に螺合を行なうことができる。
【０００３】
上述の従来技術によるセルフタッピングねじ１０は、ドリル部１３によって簡単に螺合を行なうことができるが、ドリル部１３の切削刃１３１は一直線の平坦な形状であるので、容易に摩損し、切削面１３２も平坦面であるので、ねじ込み時、切削面１３２は物体と接触摩擦抵抗が発生し、ねじ込みをスムーズに行なうことができない。また、高速に回転することによって高温の摩擦熱が発生し、切削刃１３１の摩損による切削力の低下が加速される。
【特許文献１】特開平８−１７７８３０号公報
【考案の開示】
【考案が解決しようとする課題】
【０００４】
本考案の目的は、ドリル部切削刃の応力を高めて切削刃が摩損して切削力が低下するのを防止でき、切削面と物体との接触面積を低減でき、ねじ込みを更にスムーズに行なうことができ、上述の従来技術によるセルフタッピングねじの欠点を解決できるセルフタッピングねじを提供することにある。
【課題を解決するための手段】
【０００５】
上述の課題を解決するために、本考案のセルフタッピングねじは、軸部を備え、軸部一端には頭部が形成され、軸部他端にはドリル部が形成され、ドリル部には二つの対称の切削刃および切削面が設けられ、切削刃上には若干の突出した円弧状の切歯が形成され、切歯は徐々に高さが低くなる形状で切削面の表面まで延伸する。
【考案の効果】
【０００６】
本考案のセルフタッピングねじは、切削刃および切削面上に若干の突出した切歯が形成されることによって、ドリル部切削刃の応力を高めることができ、切削刃が摩損して切削力が低下するのを防止でき、切削面と物体との接触面積を低減でき、ねじ込みを更にスムーズに行なうことができる。
【考案を実施するための最良の形態】
【０００７】
本考案の目的、特徴および効果を示す実施例を図に沿って詳細に説明する。
【０００８】
図３、４に示す実施例において、セルフタッピングねじ２０は、軸部２１を備え、軸部２１一端には頭部２２が形成され、軸部２１他端にはドリル部２３が形成される。ドリル部２３は二つの対称の切削刃２３１および切削面２３２を有する。
【０００９】
上述の構造は従来技術によるセルフタッピングねじ２０とほぼ同一であり、本考案の目的を達成するために運用される技術ではないので更なる説明は行わない。
【００１０】
本考案の技術特徴として、図３、４に示すように、切削刃２３１上には若干の突出した円弧状の切歯２３３が形成され、切歯２３３は徐々に高さが低くなる形状で切削面２３２表面まで延伸する。好適な実施例として、切歯２３３は二つの対称の切削刃２３１および切削面２３２上に千鳥状に設けられる。
【００１１】
上述の構造によって、若干の切歯２３３が切削刃２３１および切削面２３２上に設置されることによって、切削刃２３１の応力を高めることができ、切削刃２３１がねじ込み過程において摩損して切削力が低下するのを防止でき、切削面２３２と物体との接触面積を低減でき、ねじ込み過程における物体との接触摩擦抵抗を低減し、ねじ込みをスムーズに行なうことができる。また、ねじが高速に回転することによって高温の摩擦熱が発生し、切削刃２３１の摩損による切削力の低下が加速されるのを防止でき、ねじ込みを更にスムーズに行なうことができる。
【００１２】
以上の説明および図面に示す実施例から分かるように、本考案は、切削刃２３１および切削面２３２上に若干の突出した切歯２３３が設置され、ドリル部２３切削刃２３１の応力を高めて切削刃２３１が摩損して切削力が低下するのを防止でき、切削面２３２と物体との接触面積を低減でき、ねじ込みをスムーズに行なうことができるセルフタッピングねじを提供するものである。本考案は顕著な進歩性を有する考案である。
【００１３】
上述の説明は、本考案の実施可能な実施例を示すものであり、本実施例は本考案の目的を達成するために運用される技術手段および構造を説明するために挙げられたものであり、本考案の保護範囲を限定するものではなく、本考案の明細書および実用新案登録請求の範囲に基づく同等効果の変更または修飾は全て本考案の保護範囲に含まれる。
【図面の簡単な説明】
【００１４】
【図１】従来技術によるセルフタッピングねじを示す斜視図である。
【図２】従来技術によるセルフタッピングねじを示す側面図である。
【図３】本考案のセルフタッピングねじを示す斜視図である。
【図４】本考案のセルフタッピングねじを示す側面図である。
【符号の説明】
【００１５】
２０  セルフタッピングねじ
２１  軸部
２２  頭部
２３  ドリル部
２３１  切削刃
２３２  切削面
２３３  切歯
【図１】
0003141603.tif 000003
【図２】
0003141603.tif 000004
【図３】
0003141603.tif 000005
【図４】
0003141603.tif 000006